(57)【要約】【課題】従来技術に比較して詳細な情報を表示することができ、しかも視覚的にわかりやすい表示を有する無線通信装置を提供する。【解決手段】所定の表示情報を表示する表示手段と、上記表示手段を制御する制御手段とを備えた無線通信装置において、上記表示手段の背面に複数のバックライト用フルカラー表示素子を備え、上記制御手段は、上記複数のバックライト用フルカラー表示素子のそれぞれの色、輝度及び点灯時間のうちの少なくとも１つを制御する。ここで、上記制御手段は、予め作成され又は入力される表示制御データに基づいて、上記複数のバックライト用フルカラー表示素子のそれぞれの色、輝度及び点灯時間のうちの少なくとも１つを制御する。また、上記制御手段は、上記複数のバックライト用フルカラー表示素子に印加する駆動電圧をＰＷＭ制御することにより、輝度及び点灯時間のうちの少なくとも１つを制御する。【選択図】図１
2016213752.tif 000002
【特許請求の範囲】
【請求項１】
所定の表示情報を表示する表示手段と、上記表示手段を制御する制御手段とを備えた無線通信装置において、
上記表示手段の背面に複数のバックライト用フルカラー表示素子を備え、
上記制御手段は、上記複数のバックライト用フルカラー表示素子のそれぞれの色、輝度及び点灯時間のうちの少なくとも１つを制御することを特徴とする無線通信装置。
【請求項２】
上記制御手段は、予め作成され又は入力される表示制御データに基づいて、上記複数のバックライト用フルカラー表示素子のそれぞれの色、輝度及び点灯時間のうちの少なくとも１つを制御することを特徴とする請求項１記載の無線通信装置。
【請求項３】
上記制御手段は、上記複数のバックライト用フルカラー表示素子に印加する駆動電圧をＰＷＭ制御することにより、輝度及び点灯時間のうちの少なくとも１つを制御することを特徴とする請求項１又は２記載の無線通信装置。
【請求項４】
上記制御手段は、上記複数のバックライト用フルカラー表示素子を制御することにより、
（１）当該無線通信装置の待ち受け状態と、
（２）信号強度メータの表示と、
（３）送信電力メータの表示と、
（４）当該無線通信装置の温度上昇の警告表示と、
（５）予め記憶されたメモリチャンネルの表示と、
（６）無線信号の周波数を走査しながら受信するスキャン中の表示と、
（７）虹を構成する複数の色の表示し、もしくは当該虹を構成する複数の色の表示を走査する表示と、
のうちの少なくとも１つを表示することを特徴とする１〜３のうちのいずれか１つに記載の無線通信装置。
【請求項５】
上記複数のバックライト用フルカラー表示素子はそれぞれ、発光ダイオードであることを特徴とする請求項１〜４のうちのいずれか１つに記載の無線通信装置。
【請求項６】
所定の表示情報を表示する表示手段と、上記表示手段を制御する制御手段とを備えた無線通信装置の表示制御方法において、
上記無線通信装置は、上記表示手段の背面に複数のバックライト用フルカラー表示素子を備え、
上記表示制御方法は、上記制御手段が、上記複数のバックライト用フルカラー表示素子のそれぞれの色、輝度及び点灯時間のうちの少なくとも１つを制御するステップを含むことを特徴とする無線通信装置の表示制御方法。
【発明の詳細な説明】
【技術分野】
【０００１】
本発明は、例えば車載用無線通信装置などの無線通信装置とその表示制御方法に関する。
【背景技術】
【０００２】
通信装置などの電子機器において、当該電子機器の状態を良好に表示するために、電子機器の少なくとも２つの状態を、それぞれ異なる部分の顔の表情の変化で表した図形で表示するようにしたこと、また、その表示分を複数種類の色で照明するバックライトを設け、顔の表情の変化に連動してバックライトの色を変化させるようにしたことが開示されている（例えば、特許文献１等参照）。
【先行技術文献】
【特許文献】
【０００３】
【特許文献１】特開平１０−２７１５５９号公報
【特許文献２】特開２０００−２０１３８１号公報
【特許文献３】特開２００２−３６８８７１号公報
【発明の概要】
【発明が解決しようとする課題】
【０００４】
しかしながら、従来技術においては、電子機器等の表示部のバックライトの色を変化させているが、全面一色での変化であり、詳しい情報を表示することができず、視覚的にわかりづらいという問題点があった。特に、車載用無線通信装置においては、運転中はその表示部を凝視することはできず、一目でわかりやすい表示が望まれている。
【０００５】
また、無線通信装置の表示部には、周波数その他の情報を表示するが、バックライトは一色であるため、人によっては、橙が好きとか、青が好きとか、白が好きとか好みが分かれる。また、予め記憶するメモリチャンネルには、メモリー番号又はメモリーネームを付与して、希望のメモリチャンネルを呼び出すが、いずれも、表示部の表示文字を確認しなければならないという問題点があった。
【０００６】
本発明の目的は以上の問題点を解決し、従来技術に比較して詳細な情報を表示することができ、しかも視覚的にわかりやすい表示を有する無線通信装置を提供することにある。
【課題を解決するための手段】
【０００７】
第１の発明にかかる無線通信装置は、所定の表示情報を表示する表示手段と、上記表示手段を制御する制御手段とを備えた無線通信装置において、
上記表示手段の背面に複数のバックライト用フルカラー表示素子を備え、
上記制御手段は、上記複数のバックライト用フルカラー表示素子のそれぞれの色、輝度及び点灯時間のうちの少なくとも１つを制御することを特徴とする。
【０００８】
上記無線通信装置において、上記制御手段は、予め作成され又は入力される表示制御データに基づいて、上記複数のバックライト用フルカラー表示素子のそれぞれの色、輝度及び点灯時間のうちの少なくとも１つを制御することを特徴とする。
【０００９】
また、上記無線通信装置において、上記制御手段は、上記複数のバックライト用フルカラー表示素子に印加する駆動電圧をＰＷＭ制御することにより、輝度及び点灯時間のうちの少なくとも１つを制御することを特徴とする。
【００１０】
さらに、上記無線通信装置において、上記制御手段は、上記複数のバックライト用フルカラー表示素子を制御することにより、
（１）当該無線通信装置の待ち受け状態と、
（２）信号強度メータの表示と、
（３）送信電力メータの表示と、
（４）当該無線通信装置の温度上昇の警告表示と、
（５）予め記憶されたメモリチャンネルの表示と、
（６）無線信号の周波数を走査しながら受信するスキャン中の表示と、
（７）虹を構成する複数の色の表示し、もしくは当該虹を構成する複数の色の表示を走査する表示と、
のうちの少なくとも１つを表示することを特徴とする。
【００１１】
またさらに、上記無線通信装置において、上記複数のバックライト用フルカラー表示素子はそれぞれ、発光ダイオードであることを特徴とする。
【００１２】
第２の発明にかかる無線通信装置の表示制御方法は、所定の表示情報を表示する表示手段と、上記表示手段を制御する制御手段とを備えた無線通信装置の表示制御方法において、
上記無線通信装置は、上記表示手段の背面に複数のバックライト用フルカラー表示素子を備え、
上記表示制御方法は、上記制御手段が、上記複数のバックライト用フルカラー表示素子のそれぞれの色、輝度及び点灯時間のうちの少なくとも１つを制御するステップを含むことを特徴とする。
【発明の効果】
【００１３】
従って、本発明に係る無線通信装置及びその表示制御方法によれば、従来技術に比較して詳細な情報を表示することができ、しかも視覚的にわかりやすい表示を有する無線通信装置を提供できる。特に、例えば、車載用無線通信装置では、運転中においてその表示部を凝視することなく、一目でわかりやすい表示を行うことができる。
【図面の簡単な説明】
【００１４】
【図１】本発明の一実施形態にかかる無線通信装置の構成を示すブロック図である。
【図２】図１の無線通信装置のＬＣＤ２０の表示制御モードの例を示す図である。
【発明を実施するための形態】
【００１５】
以下、本発明に係る実施形態について図面を参照して説明する。なお、以下の各実施形態において、同様の構成要素については同一の符号を付している。
【００１６】
図１は本発明の一実施形態にかかる無線通信装置の構成を示すブロック図である。図１の無線通信装置は例えば２バンドの車載用無線通信装置であって、液晶ディスプレイ（ＬＣＤ）２０の裏面に８個のＬＣＤバックライト用フルカラーＬＥＤ（発光ダイオード）３１〜３８を例えば一列に並置して設け、当該フルカラーＬＥＤ３１〜３８のそれぞれの色と輝度を制御するＰＷＭドライバ２１を備えたことを特徴としている。
【００１７】
図１において、無線通信装置は、アンテナ１と、デュプレクサ２と、ＶＨＦ送信回路３と、ＶＨＦ受信回路４と、ＵＨＦ送信回路５と、ＵＨＦ受信回路６と、マイクロホン７と、スピーカ８と、ＣＰＵ（中央演算制御装置）１０と、ＥＥＰＲＯＭ１１と、ＲＡＭ１２と、キーボード１３と、ＵＳＢインターフェース１４と、送信キー１５と、送受信切り替えスイッチ１６，１７と、ＵＳＢコネクタ１８と、ＬＣＤ２０と、ＰＷＭドライバ２１と、ＬＣＤバックライト用フルカラーＬＥＤ３１〜３８とを備えて構成される。
【００１８】
送信される音声をマイクロホン７により音声信号に変換された後、ＶＨＦ送信回路３及びＵＨＦ送信回路５に入力される。ＶＨＦ送信回路３は入力される音声信号に従って所定の搬送波を変調した後、高域周波数変換（アップコンバージョン）、電力増幅してＶＨＦの無線信号を発生して送受信切り替えスイッチ１６及びデュプレクサ２を介してアンテナ１から送信する。また、ＵＨＦ送信回路５は入力される音声信号に従って所定の搬送波を変調した後、高域周波数変換（アップコンバージョン）、電力増幅してＵＨＦの無線信号を発生して送受信切り替えスイッチ１７及びデュプレクサ２を介してアンテナ１から送信する。一方、アンテナ１で受信されたＶＨＦの無線信号はデュプレクサ２及び送受信切り替えスイッチ１６を介してＶＨＦ受信回路４に入力される。ＶＨＦ受信回路４は入力される無線信号を低雑音増幅した後、低域周波数変換（ダウンコンバージョン）及び復調をして、復調後の音声信号をスピーカ８に出力して受信した音声信号の音声を出力する。また、アンテナ１で受信されたＵＨＦの無線信号はデュプレクサ２及び送受信切り替えスイッチ１７を介してＵＨＦ受信回路６に入力される。ＵＨＦ受信回路６は入力される無線信号を低雑音増幅した後、低域周波数変換（ダウンコンバージョン）及び復調をして、復調後の音声信号をスピーカ８に出力して受信した音声信号の音声を出力する。
【００１９】
ＣＰＵ（中央演算制御装置）１０は当該無線通信装置の動作及びＬＣＤ２０の表示を制御するとともに、ＰＷＭドライバ２１を制御してＬＣＤバックライト用フルカラーＬＥＤ３１〜３８の色、輝度及び点灯時間を制御する。ＣＰＵ１０には、例えばフラッシュメモリであり、無線通信装置の動作プログラム、表示制御プログラム、表示制御データなどを記憶するＥＥＰＲＯＭ１１と、一時的な動作データを記憶するＲＡＭ１２と、使用バンド、使用チャンネル、表示制御データなどのユーザの指示データを入力するためのキーボード１３と、パーソナルコンピュータ５０から着脱可能なＵＳＢコネクタ１８を介して表示制御データを受信するＵＳＢインターフェース１４と、ユーザが送信を指示するための送信キー１５と、ＬＣＤ２０と、ＰＷＭドライバ２１とが接続される。なお、パーソナルコンピュータ５０からの表示制御データ（例えば、表計算ソフトウェアで作成されたファイルデータである。）はＥＥＰＲＯＭ１１に表示制御データとして記憶される。当該表示制御データはまた、ユーザがキーボード１３を用いて作成して記憶される。
【００２０】
ＣＰＵ１０は、送信キー１５がオンされたとき、送受信切り替えスイッチ１６，１７のうちの選択されたバンドの１つを送信（ＴＸ）側に切り替える一方、送信キー１５がオフされたとき、当該送受信切り替えスイッチ（１６，１７のうちの１つ）を受信（ＲＸ）側に切り替える。ＣＰＵ１０は、現在使用しているＶＨＦ周波数及びＵＨＦ周波数をＬＣＤ２０に並置して表示するように制御する。また、ＣＰＵ１０は、ＥＥＰＲＯＭ内の表示制御データに基づいて、ＬＣＤバックライト用フルカラーＬＥＤ３１〜３８のＲＧＢに対する各駆動電圧をＰＷＭ制御（パルス幅変調）することで、ＬＣＤ２０の横方向に８個に分割した部分について、各部分の色と輝度、点灯時間を任意に制御することができる。当該表示制御データを用いた表示制御モードの例を図２を参照して以下に説明する。
【００２１】
図２は図１の無線通信装置のＬＣＤ２０の表示制御モードの例を示す図である。図２において、ＬＣＤ２０におけるユーザの指示によるイベント前後の表示（左の数字はＶＨＦの周波数（ＭＨｚ）、右の数字はＵＨＦの周波数（ＭＨｚ）であり、ＬＣＤバックライト用フルカラーＬＥＤ３１〜３８の色および輝度を含む）と、表示における色（表示の左からの色であって、例えば水色の「色」を省略する）等を示している。
【００２２】
モードＭ１において、待受け状態のイベントでは、ＵＨＦ／ＶＨＦの各バンドを違う色のバックライトで表現でき、自分の好みの色を選択して表示できる。
【００２３】
モードＭ２において、無線信号の受信時の信号強度メータの代わりに、信号強度によりバックライトの色のグラデーション（濃淡）を変えることで、視覚的によりわかりやすくすることができる。
【００２４】
モードＭ３において、ＶＨＦでハイパワー送信するときに、ＶＨＦの表示エリアのバックライトが送信電力メータの電力値を表示する。ここで、電力値により色のグラデーション（濃淡）を変える。
【００２５】
モードＭ４において、温度上昇を表示しており、例えば連続送信等により本体温度が上昇していることを色で表すことで、危険度をより強く警告する。さらに、バックライトを点滅させれば更に効果が大きくなる。
【００２６】
モードＭ５において、メモリチャンネルを色で表示する。各メモリチャンネル番号に色を割り付けることができるので、バックライトの色だけでどのメモリチャンネルかを判別できる。ここで、メモリチャンネルとは、複数のメモリチャンネルに対してそれぞれ予め各バンドの周波数を記憶しておき、メモリチャンネル番号を指定することで周波数を指定することをいう。
【００２７】
モードＭ６において、無線信号の受信周波数を走査する「スキャン中」であることを表示する。図２では、赤色、黄色、緑色、青色、赤色（以下、繰り返す）の順序で所定の周期で、各バンド毎に色を変化しかつ色の表示位置を右方向に移動させる。各バックライトを色を変えて順番に点灯させることで、流れるような表示となり、スキャン中であることがより分かりやすくなる。この例は、２０ＫＨｚステップでスキャンしている場合を示す。
【００２８】
モードＭ７において、デモンストレーションモードを表示する。例えば店頭などで商品を展示する場合に、カラフルなバックライトで広告宣伝効果を高めることができる。
【００２９】
以上のように構成された実施形態にかかる無線通信装置によれば、以下の特有の効果を有する。
（１）バックライトの色を自由に設定できるので、自分の好みの色を選べる（例えば、表示モードＭ１参照）。
（２）各メモリチャンネルに色を割り付けることが出来るので、例えばメモリースキャンで停止したとき、色だけでどのメモリチャンネルかを判断できる（例えば、表示モードＭ５参照）。この場合、メモリチャンネル番号やメモリネームを見る必要がない。
（３）各バックライト用フルカラーＬＥＤ３１〜３８のそれぞれの色と輝度を自由に設定できるので、視覚的効果が高く、美感性が高い（例えば、表示モードＭ１、Ｍ５参照）。
（４）８個のバックライト用フルカラーＬＥＤ３１〜３８を信号強度メータの代わりに使うと、ディスプレイ全体が信号強度メータとなる（例えば、表示モードＭ２参照）。同様に、送信時には、送信電力メータにもなる（例えば、表示モードＭ３参照）。
（５）各バックライト用フルカラーＬＥＤ３１〜３８の各色と点灯時間をプログラムすれば、虹色が流れるような表示も可能である。この場合、赤、オレンジ、黄色、緑、水色、青、紫の帯を右方向に流れるように表示する（例えば、表示モードＭ６，Ｍ７参照）。
（６）連続送信で本体温度が上昇した時の温度を表示できる（例えば、表示モードＭ１参照）。
（７）各バックライト用フルカラーＬＥＤ３１〜３８の色、輝度、点灯時間を表計算ソフトウェアの表で作成し、そのファイルを読み込むことで、ユーザーが自由にダイナミックな色表現を作ることができる。
【００３０】
以上の実施形態においては、バックライト用フルカラーＬＥＤ３１〜３８をＬＣＤ２０の背面において一例に横方向又は水平方向で並置しているが、本発明は１次元方向に限らず、２次元方向で複数のバックライト用フルカラーＬＥＤを並置して、各バックライト用フルカラーＬＥＤの位置、色、輝度、点灯時間の少なくとも１つを制御してもよい。
【００３１】
以上の実施形態においては、ＬＣＤ２０においては、各バンドの送受信周波数を表示しているが、本発明はこれに限らず、チャンネル番号などの他の所定の表示情報を表示してもよい。
【００３２】
以上の実施形態においては、バックライト用フルカラーＬＥＤ３１〜３８を用いているが、本発明はこれに限らず、有機ＥＬ表示素子、プラズマ表示素子などの他の種類の表示素子を用いてもよい。
【産業上の利用可能性】
【００３３】
以上詳述したように、本発明に係る無線通信装置及びその表示制御方法によれば、従来技術に比較して詳細な情報を表示することができ、しかも視覚的にわかりやすい表示を有する無線通信装置を提供できる。特に、例えば、車載用無線通信装置では、運転中においてその表示部を凝視することなく、一目でわかりやすい表示を行うことができる。
【符号の説明】
【００３４】
１…アンテナ、
２…デュプレクサ、
３…ＶＨＦ送信回路、
４…ＶＨＦ受信回路、
５…ＵＨＦ送信回路、
６…ＵＨＦ受信回路、
７…マイクロホン、
８…スピーカ、
１０…ＣＰＵ（中央演算制御装置）、
１１…ＥＥＰＲＯＭ、
１２…ＲＡＭ、
１３…キーボード、
１４…ＵＳＢインターフェース、
１５…送信キー、
１６，１７…送受信切り替えスイッチ、
１８…ＵＳＢコネクタ、
２０…液晶ディスプレイ（ＬＣＤ）、
２１…ＰＷＭドライバ、
３１〜３８…フルカラーＬＥＤ、
５０…パーソナルコンピュータ。
【図１】
2016213752.tif 000003
【図２】
2016213752.tif 000004